(57)【要約】  刃、刃ホルダおよび安全ケージを含む刃アセンブリを含む皮膚剥離のための方法および手持ち式装置が開示される。本発明の重要な態様によれば、安全ケージは、刃の顔面皮膚への侵入量を制限して、装置を非専門家が安全に使用できるようにする。皮膚剥離装置は、刃を所定周波数で振動させる振動発生器を含む。刃を振動させるための手持ち式皮膚剥離装置の様々な実施形態が開示される。
2019505276.tif 000002
【特許請求の範囲】
【請求項１】
各構成要素を支持するための主ハウジング；
前記ハウジングによって支持される刃アセンブリ；
前記ハウジング内で振動を発生させるための低周波振動発生器；
前記振動発生器に電力を供給する電源；及び
前記電源を前記振動発生器に選択的に接続するためのスイッチ
を含む、手持ち式皮膚剥離装置であって、
前記刃アセンブリは、刃と、前記刃が皮膚に侵入できる深さを制限するように構成された前記刃の上に並置された安全ケージとを含み、
前記刃アセンブリに、前記主ハウジングに形成されたレールに受け入れられるように適合される長手方向の溝穴が形成されて、前記刃アセンブリが前記主ハウジングに滑りながら出入りすることを可能にし、
前記刃アセンブリが前記装置から取り外されると該刃アセンブリの再使用を回避するために、前記刃アセンブリが一度だけ使用されることを許容する機械的インターロックが、前記刃アセンブリに形成される、手持ち式皮膚剥離装置。
【請求項２】
前記刃アセンブリが完全に挿入されるまで動作しないように前記装置が構成される、請求項１に記載の手持ち式皮膚剥離装置。
【請求項３】
前記装置が１つまたは複数のマイクロスイッチを含む、請求項２に記載の手持ち式皮膚剥離装置。
【請求項４】
前記装置が、前記刃アセンブリが完全に挿入されるときに前記刃アセンブリを適所でロックするためのロック機構を含む、請求項１に記載の手持ち式皮膚剥離装置。
【請求項５】
（ａ）皮膚の角質を除去するために、非専門家向きの手持ち式皮膚剥離装置を人の顔面皮膚に押し付けるステップと、
（ｂ）皮膚剥離された前記顔面皮膚を化学薬品でピーリングするステップと
を含む顔面皮膚を処理するための方法。
【請求項６】
皮膚剥離された前記顔面の領域を洗浄するステップをさらに含む、請求項５に記載の方法。
【請求項７】
処理された前記顔面皮膚にバルムを塗布するステップをさらに含む、請求項５に記載の方法。
【請求項８】
ハウジング；
前記ハウジング内に配置された振動発生器；
前記ハウジングに取り付けられると前記振動発生器に機械的に結合される、取り外し可能な刃アセンブリであって、延出タブを含む取り外し可能な刃アセンブリ；及び
前記取り外し可能な刃アセンブリが取り外されるときに前記タブを破壊し、前記延出タブが除去された場合、刃アセンブリが挿入されているかどうかを感知するための、前記延出タブと協働する刃アセンブリ制御機構
を含む、皮膚剥離装置。
【請求項９】
前記延出タブが破壊されたことを前記刃アセンブリ制御機構が感知すると動作不能にされる前記振動発生器を起動するための制御回路をさらに含む、請求項８に記載の皮膚剥離装置。
【請求項１０】
前記刃アセンブリを前記装置内に解放可能に固定するためのロック機構をさらに含む、請求項８に記載の皮膚剥離装置。
【請求項１１】
前記刃アセンブリが前記装置に完全に挿入された場合を感知するための１つまたは複数の制御インターロックをさらに含む、請求項８に記載の皮膚剥離装置。
【請求項１２】
前記刃アセンブリが前記装置に完全に挿入されない限り動作不能にされる前記振動発生器を起動するための制御回路をさらに含む、請求項１１に記載の皮膚剥離装置。
【請求項１３】
ハウジング；
前記ハウジング内に配置された振動発生器；
前記ハウジングに取り付けられると前記振動発生器に機械的に結合される、取り外し可能な刃アセンブリであって、延出タブを含む取り外し可能な刃アセンブリ；及び
バネ荷重弾丸ピンと協働する前記取り外し可能な刃アセンブリに形成された傾斜部と協働する刃アセンブリ制御機構であって、前記弾丸ピンが前記傾斜部の頂点に達するとマイクロスイッチを作動させ、前記制御回路をイネーブルにする刃アセンブリ制御機構
を含む、皮膚剥離装置。
【請求項１４】
前記刃アセンブリ制御機構が、刃アセンブリが装置に最初に挿入された場合を感知するように構成される、請求項８に記載の皮膚剥離装置。
【請求項１５】
刃ホルダと；
前記刃ホルダに支持される刃と；
前記刃の顔面皮膚への侵入量を制限するために前記刃の刃先の上に配置された安全ケージと；
装置の一対の相補的なレールを受け入れるための前記刃ホルダの長さに沿った一対の平行に整列された溝穴と
を含む、刃アセンブリ。
【請求項１６】
刃アセンブリ制御機構と協働するための上部棚表面および下部棚表面が前記刃ホルダに形成される、請求項１５に記載の刃アセンブリ。
【請求項１７】
前記下部棚表面に形成された上方延出タブをさらに含む、請求項１６に記載の刃アセンブリ。
【請求項１８】
前記タブがＬ字形タブである、請求項１７に記載の刃アセンブリ。
【請求項１９】
前記下部棚部分に形成された上方延出傾斜部をさらに含む、請求項１６に記載の刃アセンブリ。
【請求項２０】
前記上部棚表面が延出した上部棚表面である、請求項１６に記載の刃アセンブリ。
【請求項２１】
前記安全ケージが歯を備えて構成される、請求項１５に記載の刃アセンブリ。
【請求項２２】
刃アセンブリと協働するための刃アセンブリ制御アセンブリであって、前記刃アセンブリ制御アセンブリが、刃アセンブリに応答する１つまたは複数の電気インターロックを支持するためのハウジング
を含む、刃アセンブリ制御アセンブリ。
【請求項２３】
１つまたは複数の電気インターロックを含む、請求項２２に記載の刃アセンブリ制御アセンブリ。
【請求項２４】
１つまたは複数の機械的インターロックをさらに含む、請求項２３に記載の刃アセンブリ制御アセンブリ。
【請求項２５】
前記１つまたは複数の電気インターロックが、バネ荷重弾丸ピンおよびマイクロスイッチを含む、請求項２３に記載の刃アセンブリ制御アセンブリ。
【請求項２６】
前記１つまたは複数の電気インターロックが、バネ荷重ナイフブレードおよびマイクロスイッチを含む、請求項２３に記載の刃アセンブリ制御アセンブリ。
【請求項２７】
前記１つまたは複数の機械的インターロックが、バネ荷重弾丸ピンを含む、請求項２４に記載の刃アセンブリ制御アセンブリ。
【発明の詳細な説明】
【技術分野】
【０００１】
関連出願の相互参照
[0001]本出願は、２０１３年９月９日に出願された、米国特許法第３７１条に基づく国際出願番号ＰＣＴ／ＵＳ２０１３／０５８７０８号の国内段階出願であり、および、２０１３年１０月２４日に出願された同時係属の米国特許出願第１４／０６２，２６２号の一部継続および２０１５年６月１８日に出願された米国特許出願第１４／７４２，８８１号の一部継続である。
【０００２】
発明の背景
１．発明の分野
[0002]本発明は、顔面皮膚を処理する際に使用される手持ち式装置およびプロセスに関し、より詳細には、非専門家が安全に使用できる、顔面皮膚の角質を除去するための手持ち式皮膚剥離（dermaplaning）装置、および顔面皮膚を剥離するためのプロセスに関する。
【背景技術】
【０００３】
２．従来技術の記載
[0003]顔面皮膚を処理するための様々なプロセスが知られている。これらのプロセスは、手持ち式装置を含むことが知られ、以下のようないくつかのカテゴリーに分類される。
シェービング
洗浄および保湿
皮膚切除
皮膚剥離（角質除去）
創面切除
【０００４】
[0004]シェービングは、かみそりによって顔の毛を除去するために使用される。標準的な安全かみそりに加えて、米国特許第３，５０９，６２６号およびロシア国特許ＲＵ第２３２０４７６号は、シェービング中に超音波周波数で刃を振動させるために圧電結晶が刃に取り付けられた安全かみそりを開示する。これらの装置は、安全かみそりと、圧電結晶と、バッテリと、バッテリを圧電結晶に結合するための回路とを含む。これらの装置は、人の顔から余分な毛を除去するために使用され、いかなる皮膚も除去しない。そのような装置は、非専門家の使用のために構成されている。
【０００５】
[0005]手による処理に加えて、洗浄および保湿は、手持ち式装置によって達成してもよい。例えば、米国特許出願公開第２００５／００４３６５３  Ａ１号および米国特許第５，９３１，８５９号および米国特許第６，１１９，０３５号は、人の顔に液体を分配するための手持ち式装置を開示する。これらの装置は、皮膚を洗浄するために微弱の電流が印加される洗浄モードを含む。米国特許出願公開第２００８／０１３９９７４  Ａ１号は、保湿液を人の顔に塗布するだけの手持ち式装置を開示する。そのような装置の例は、youtube.com/watch?v=w1PcSf253csにも開示されている。
【０００６】
[0006]超音波周波数に依存する、顔面皮膚を洗浄するための他の手持ち式装置が知られている。これらの装置の例は、日本国特許ＪＰ第２０００００６０４２７号、韓国特許ＫＲ第２００４００２２５５０号、およびＫＲ第２００８０００６８７５号に開示されている。そのような装置のさらなる例は、以下のサイトで見つけることができる：
youtube.com/watch?NR=1&v=jypKIrpGDIg&feature=fvwp;
youtube.com/watch?v=fmSS2uexmacおよびhttp:/dermasonic.com/how.html。そのような装置も、非専門家の使用のために構成されている。
【０００７】
[0007]皮膚切除術（dermabrasion）は、傷跡または他の欠陥を除去するために、目の細かい研磨紙またはワイヤブラシで皮膚を研磨することによって、皮膚の外側層を除去するための美容外科手術である。この手術は、真皮に至るまでの皮膚を研磨するために使用される。真皮は、表皮と、結合組織からなる皮下組織との間の皮膚の層であり、応力およびひずみから身体を和らげる。皮膚切除は、通常、麻酔薬を必要とし、通常、皮膚科医などの医療専門家によってなされる。感染症および瘢痕化の可能性があるため、皮膚切除は、顔面皮膚処理に対する比較的不人気の選択である。
【０００８】
[0008]皮膚切除を実行するための手持ち式装置が知られている。皮膚切除のために使用される例示的な手持ち式装置は、米国特許第８，０５２，６６２号および米国特許出願公開第２００３／０２３３０８５  Ａ１号；米国特許出願公開第２００４／０１８５０６７  Ａ１号；米国特許出願公開第２００７／０２９３７９５  Ａ１号；米国特許出願公開第２００９／００４８５５７  Ａ１号；米国特許出願公開第２００９／０１２４９８５  Ａ１号；および米国特許出願公開第２０１３／０１４４２８０号  Ａ１号で開示され、詳細に記載されている。一般に、このような装置は、表面に当てられる研磨材を有する当て部を含む。当て部は、超音波周波数で当て部を振動させるために圧電結晶に取り付けられている。振動当て部は、関心の面領域に当てられる。米国特許第７，３８４，４０５号は、研磨毛（abrasive bristles）を有する回転ブラシを含む手持ち式装置を開示する。手持ち式皮膚切除装置は、専門家および非専門家の使用のために利用可能であることが知られている。
【０００９】
[0009]創面切除（debridement）は、壊死の、すなわち死んだ、感染した、損傷を受けた、汚染された組織などの不健康な組織を除去するために、または組織中の異物を除去する状況において、免許を有する医師によって実行される外科技術である。米国特許出願公開第２０１２／０１０１５１２  Ａ１号は、創面切除のために使用されることが知られる手持ち式装置を開示する。この装置は、把手によって支えられる刃を含む。刃は、壊死の組織に隣接して位置する健康な組織を一切傷つけることなく、組織部位から離れるように壊死の組織をこすり取る働きをする小さく平たい切れない刃である。圧電結晶は、超音波周波数で刃を振動させるために、刃に取り付けられる。そのような創面切除装置は、専門家だけが利用できる。
【００１０】
[0010]皮膚剥離は、比較的単純で安全な比較的人気のあるプロセスであり、表皮、すなわち皮膚の細胞の外側層の角質を除去し、皮膚から細い軟毛、すなわち産毛を除去するために使用される。皮膚剥離は、メスまたは類似の刃を使用するので、通常、エステティシャンなどの免許を有するスキンケアの専門家によって実行されるプロセスである。メスおよび繊細な接触を用いて、メスは、皮膚の角質を除去するために、弱い水平なストロークで皮膚を横切ってさっと移動される。角質の除去は、皮膚の最外面の最も古い死んだ皮膚細胞の除去を伴う。
【００１１】
[0011]顔面皮膚の剥離は、多くの利益を有する。例えば、表皮を除去することにより、スキンケア製品を皮膚のより深い層の中により容易に浸透させて、より良好な結果を可能にする。上で述べたように、皮膚剥離は、毛包にほこりおよび油を蓄積させる傾向がある軟毛を除去する。毛を除去することで皮膚はより健康に見えるようになる。
【００１２】
[0012]皮膚剥離のために使用される手持ち式装置は、通常、刃および把手からなる手術用のメスを含む。このようなメスは、非専門家は利用できない。従って、皮膚剥離は、免許を有するスキンケアの専門家がいる温泉場でのみ利用可能である。そのような温泉場での皮膚剥離処理は、比較的高額になる場合がある。あいにく、非専門家の家庭使用向けに知られた皮膚剥離装置は知られていない。従って、この問題を克服する、非専門家の使用向けの皮膚剥離のための手持ち式装置および方法を提供する必要性がある。
【発明の概要】
【課題を解決するための手段】
【００１３】
発明の概要
[0013]簡潔に言うと、本発明は、非専門家の使用に対して比較的安全な顔面皮膚剥離のための方法および手持ち式装置に関する。手持ち式装置は、ハウジングに取り外し可能に取り付けられる、刃と、刃ホルダと、安全ケージとを含む刃アセンブリを含む。安全ケージは、刃が皮膚に侵入できる深さを制限し、これにより装置は非専門家による使用に対して安全になる。手持ち式皮膚剥離装置の様々な実施形態が考えられる。一実施形態では、圧電結晶が、刃アセンブリを超音波周波数で振動させるために使用される。代替実施形態では、偏心負荷を駆動するモータが、他の周波数で刃アセンブリを振動させるために使用されてもよい。さらに別の代替実施形態では、偏心負荷および圧電結晶を備えたモータが、刃アセンブリを振動させるために、選択的におよび代替的に使用される。モータを含む実施形態では、モータの速度は、振動周波数を変更できるように、任意選択的に調整可能であってもよい。非専門家によって使用することができる皮膚剥離プロセスも開示される。
【００１４】
図面の説明
[0014]本発明のこれらおよび他の利点は、以下の明細書および添付図面を参照して簡単に理解されるだろう。
【図面の簡単な説明】
【００１５】
【図１】[0015]圧電結晶と偏心負荷を備えたモータとを含む振動発生器を含む装置の一実施形態による例示的な皮膚剥離装置の側面図である。
【図２】[0016]図１に示された皮膚剥離装置の一実施形態の分解図である。
【図３】[0017]図１に示された皮膚剥離装置の断面の側面図である。
【図４ａ】[0018]オフ位置を開示する、本発明で使用するための４段階の回転電気スイッチの例示的な概略図である。
【図４ｂ】超音波モードの位置を示す、本発明で使用するための４段階の回転電気スイッチの例示的な概略図である。
【図４ｃ】中間のオフ位置を示す、本発明で使用するための４段階の回転電気スイッチの例示的な概略図である。
【図４ｄ】超音波モードを示す、本発明で使用するための４段階の回転電気スイッチの例示的な概略図である。
【図５】[0019]圧電結晶と、偏心負荷を備えたモータと、モータの速度を制御するための任意選択の加減抵抗器とを含む実施形態を示す、図３に示された皮膚剥離装置の例示的な回路図である。
【図６】[0020]図５に示された実施形態で使用するための例示的なプリント回路基板の上面図である。
【図７】[0021]サムホイールがないことを除き図１と同様の図である。
【図８】[0022]圧電結晶のみを含む皮膚剥離装置の代替の実施形態の分解図である。
【図９】[0023]図８に示された皮膚剥離装置の断面の側面図である。
【図１０】[0024]図８に示された皮膚剥離装置の例示的な回路図である。
【図１１】[0025]図８に示された皮膚剥離装置で使用するための例示的なプリント回路基板である。
【図１２】[0026]モータおよび偏心負荷のみを含む皮膚剥離装置の別の代替の実施形態の分解図である。
【図１３】[0027]図１２に示された皮膚剥離装置の断面の側面図である。
【図１３ａ】[0028]取り外し可能な刃を示す図１２に示された装置の代替の実施形態である。
【図１３ｂ】[0029]取り外し可能な刃がメスにどのように取り付けられるかを示す図である。
【図１３ｃ】取り外し可能な刃がメスにどのように取り付けられるかを示す図である。
【図１３ｄ】取り外し可能な刃がメスにどのように取り付けられるかを示す図である。
【図１３ｅ】[0030]メスに取り付けられた取り外し可能な刃を示す側面図である。
【図１３ｆ】[0031]メスから取り外された取り外し可能な刃を示す以外図１３ｅと同様の図である。
【図１３ｇ】[0032]図１２に示された装置の別の代替の実施形態である。
【図１４】[0033]図１２に示された皮膚剥離装置の例示的な回路図である。
【図１５】[0034]図１に示された皮膚剥離装置で使用するための例示的なプリント回路基板である。
【図１６】[0035]ハウジングの把手部分に取り付けられた取り外し可能な刃を示す本発明による皮膚剥離装置の部分側面図である。
【図１６ａ】[0036]安全ケージおよび例示的な刃アセンブリを示す刃の部分拡大図である。
【図１７】[0037]刃ケージを備えた例示的な刃アセンブリを示す部分等角図である。
【図１８】[0038]例示的なバヨネットタイプインターフェースを示すハウジングの把手部分から取り外されて示された例示的な刃アセンブリの部分等角図である。
【図１９】[0039]本発明による皮膚剥離装置を使用する人の部分等角図を示す。
【図２０】[0040]顔の図であり、各矢印はユーザの顔の上の皮膚剥離装置のストローク方向を示している。
【図２１】[0041]例示的な寸法で示され、刃アセンブリが取り付けられた状態で示された、図１に示された例示的な皮膚剥離装置の代替の例示的な実施形態の側面図である。
【図２２】[0042]図２１に示した皮膚剥離装置の部分拡大図である。
【図２３】[0043]同じく例示的な寸法で示される、図２１に示される皮膚剥離装置の上面図である。
【図２４Ａ】[0044]刃アセンブリが取り外された状態で示される、図２１〜２３に示された皮膚剥離装置の側面図である。
【図２４Ｂ】[0045]刃アセンブリを摺動可能に受け入れるための皮膚剥離装置のガイドレールを示すために皮膚剥離装置が上下逆にされた状態で示される図２４Ａと似た図である。
【図２５Ａ】[0046]例示的な携帯型スタンドによって支持された、図２１に示される皮膚剥離装置の等角図である。
【図２５Ｂ】[0047]図２５Ａに示した携帯型スタンドの等角図である。
【図２６】[0048]携帯型スタンドの底部と電源接続部とを示すためにその側で傾けられた、図２５Ｂに示されている皮膚剥離装置および携帯型スタンドの等角図である。
【図２７Ａ】[0049]刃が挿入されハウジングが取り外された状態で示される図２１に示される皮膚剥離装置の拡大部分立面図を示す。
【図２７Ｂ】[0050]ハウジングが取り外され、図２５Ｂに示される携帯型スタンドに取り付けられた状態で示され、円内の参照符号に合わせられた構成部品の表とともに示される、図２１に示される皮膚剥離装置のより詳細な立面図である。
【図２８】[0051]刃、刃保持具および安全ケージを含む例示的な刃アセンブリを示す。
【図２９】[0052]図２８に示されるような追加の刃アセンブリを格納する際に使用するための例示的な刃保持具の上面図である。
【図３０】[0053]図２９に示される刃保持具の正面図である。
【図３１】[0054]図２９に示される刃保持具の側面図である。
【図３２】[0055]図２１に示される皮膚剥離装置の例示的な電気回路図である。
【図３３】[0056]図２１に示される例示的な皮膚剥離装置の例示的なソフトウェアフローチャートである。
【図３４】[0057]本発明で使用される例示的な振動発生器の側面図である。
【図３５】[0058]図３４に示される例示的な振動発生器の正面図である。
【図３６】[0059]刃アセンブリ制御機構を示し、刃アセンブリが取り付けられた状態で示される、カバーの一部が取り除かれた皮膚剥離装置の一実施形態の部分側面図である。
【図３７】[0060]刃アセンブリ制御機構と刃アセンブリとの間の関係を示す側面図である。
【図３８】[0061]図２９に示される刃保持具の代替実施形態の部分等角図であり、刃アセンブリが装填された状態で示され、また刃アセンブリを装填しようとしている図２４Ｂに示される皮膚剥離装置の部分等角図とともに示されている。
【図３９】[0062]ハウジングの一部が取り除かれた状態であり、また刃アセンブリが皮膚剥離装置に部分的に装填された状態で示される、部分側面図である。
【図４０】[0063]皮膚剥離装置が刃保持具から取り外された状態で示される、刃アセンブリが完全に装填された後の皮膚剥離装置の部分等角図である。
【図４１】[0064]刃アセンブリの代替実施形態が完全に装填され、ハウジングが取り除かれた、図２１〜２３に示される皮膚剥離装置の部分立面図であり、刃アセンブリの代替実施形態と刃制御機構との間の関係を示す。
【図４２】[0065]代替の刃アセンブリが取り外された状態で示されている以外は図４１に類似している。
【発明を実施するための形態】
【００１６】
詳細な説明
[0066]本開示は、非専門家の使用に対して比較的安全な皮膚剥離のための方法および手持ち式装置を含む。概して、手持ち式装置は、ハウジングに取り外し可能に取り付けられた刃アセンブリを含む。刃アセンブリは、刃またはメスと、刃を支持するための刃ホルダと、安全ケージとを含む。安全ケージは、刃の刃先を覆うように並置または配置され、刃の顔面皮膚への侵入量を制限する。従って、本装置の使用は、非専門家が人の顔の上で皮膚剥離を安全に実行することを可能にする。
【００１７】
[0067]皮膚剥離装置の複数の例示的な実施形態が記載され図示されている。全ての実施形態は、例えば図１〜１８および２１〜２３に示されるような例示的な外側ハウジングと、刃アセンブリと、振動発生器とを含む。
【００１８】
[0068]第１実施形態は、図１〜６に示され、超音波周波数、例えば２０，０００ヘルツを超える周波数で刃を振動させるための圧電結晶回路と、超音波周波数以外の周波数、例えば２０，０００ヘルツよりも下の周波数で刃アセンブリを振動させる偏心回転負荷（eccentric rotary load）を備えたモータとを含む。
【００１９】
[0069]第２実施形態は、図７〜１１に示されている。この実施形態では、皮膚剥離装置は、刃に取り付けられた圧電結晶回路のみを含む。
【００２０】
[0070]第３実施形態は、図１２、１３、１３Ａ、１３Ｇ、１４および１５に示されている。この実施形態では、皮膚剥離装置が振動発生器としての回転偏心負荷を備えたモータを含む。
【００２１】
[0071]第４の例示的な実施形態は、図２１〜２３、２４Ａ、２４Ｂ、２７Ａ、２７Ｂおよび３２〜３７に示されている。この実施形態は、振動発生器、例えば、図３４および３５に示されているような、モータおよびモータシャフトに取り付けられた偏心的に取り付けられた塊を含む。
【００２２】
[0072]図２５Ａ、２５Ｂおよび２６は、図２１〜２３、２４Ａ、２４Ｂ、２７Ａ、２７Ｂ、３６〜３８、４１および４２に示される装置用の例示的な基部を示す。図２８は、第４実施形態用の例示的な刃アセンブリを示す。図４１および４２は、図２８に示される刃アセンブリの例示的な代替実施形態を示す。図２９〜３１は、図２８、４１および４２に示される刃アセンブリ用の例示的な刃保持具を示す。
【００２３】
第４実施形態
[0073]皮膚剥離装置の第４実施形態が図２１〜２３および図３６〜４２に示される。最初に図２１〜２３、２４Ａ、２４Ｂおよび２４Ｃを参照すると、皮膚剥離装置の第４の例示的な実施形態のための例示的なハウジングが示されている。例示的な概要が示されている。図２１〜２３は、刃アセンブリが取り付けられた皮膚剥離装置のハウジングを示し、図２４Ａおよび２４Ｂは、刃が取り外された皮膚剥離装置のハウジングを示す。ハウジングは、図２８に示す刃アセンブリ、ならびに図４１および４２に示す刃アセンブリ、ならびに、挿入および取外し可能であり、後述するように、刃制御機構の機能的インターロックを満たすことができる任意の刃アセンブリを収容可能である。参照符号３００（図２１〜２４Ｂ）で特定される皮膚剥離装置は、取外し可能な刃アセンブリ３３０と、把手部分３０４と、外側ハウジングを形成する基礎部分３０６とを含む。
【００２４】
[0074]図２５Ａ、２５Ｂ、および２６は、皮膚剥離装置３００を保管および充電するための例示的な基部またはスタンドを示す。示されている例示的な実施形態では、例示的なスタンド３１０は、図２４Ａおよび２４Ｂに示された装置など刃アセンブリのない皮膚剥離装置を受け入れるように構成される。スタンド３１０をこのように構成する理由の１つは、衛生上の理由から刃アセンブリを使用するたびに取り外さなければならないことである。より詳細に後述されるように、装置内の刃アセンブリ制御機構は、刃アセンブリを完全に挿入することができように構成され、刃アセンブリが取り外されるときに折り取られる上方延出タブ３５２、例えば、Ｌ字形タブ３５２、または他の上方延出タブを折り取るように構成される。タブが折り取られた後に刃アセンブリ３３０を再び挿入しようとすると、刃アセンブリ制御機構３０９はタブ３５２の欠如を感知して装置が動作するのを防止する。
【００２５】
[0075]図２５Ｂに最もよく示されているように、例示的な基部３０８は、皮膚剥離装置３００の基礎部分３０６を受け入れるための受け台部分３１０と、装置３００の把手部分３０４が載ることを可能にするスタンド部分３１２とを含む。示されているように、受け台部分３１０には、図２４Ａおよび２４Ｂに示すような、皮膚剥離装置３００の基礎部分３０６の底部支持面の形状に適合された溝穴３１３が形成されている。溝穴３１３は、皮膚剥離装置３００の基礎部分３０６が溝穴３１０の底面に載置され、皮膚剥離装置３００の基礎部分３０６の側壁が溝穴３１０の側壁３１３と接触するように形状を適合される。
【００２６】
[0076]スタンド部分３１２は、図２５Ａに示されるように、水平から約５０°の角度で直立位置に皮膚剥離装置３００を支持するために使用される。スタンド部分３１２の頂面３１４は、自由端の中間の把手部分３０４を支持するように角度付けされている。
【００２７】
[0077]示されている例示的な実施形態では、皮膚剥離装置３００と基部３０８との間の接続は機械的な接続である。より詳細に後述されるように、例示的な装置は、誘導充電器を含むこともできる。誘導充電器の一次巻線は基部内に支持され、磁気誘導によって、装置３００内の二次巻線およびバッテリ充電器に「接続」する。示されたこのような実施形態では、皮膚剥離装置３００は、持ち運び型装置として形成され、内部充電式バッテリを含むことができる。誘導型バッテリ充電器を、内部バッテリを充電するために実装することができる。より詳細に後述されるように、内部バッテリは、皮膚剥離装置３００が基部３０８に据えられるとき、誘導によって充電される。各構成要素は、誘導バッテリ充電器の二次側が誘導バッテリ充電器の一次側から所定の距離内にあるように構成される。このようにして、皮膚剥離装置３００と基部３０８との間に電気接点がなくても、内部バッテリは充電される。
【００２８】
[0078]様々な代替実施形態も想定される。１つの代替実施形態は、充電不能内部バッテリを想定する。そのような実施形態では、充電不能バッテリは、定期的に交換される。充電式バッテリを含む他の代替実施形態では、基部３０８上の対応する接点とかみ合うように構成された外部電気接点が、皮膚剥離装置３００の外側に形成される。この実施形態では、基部３０８上の外部接点は、内部充電式バッテリを充電するためのＡＣまたはＤＣの外部電源に接続される。
【００２９】
[0079]さらに別の代替実施形態では、皮膚剥離装置３００は、装置３００に有線により配線されたＡＣの外部電源から電力を供給される。この実施形態は、動作のための一定のＡＣ電源を必要とする。
【００３０】
[0080]示され記載される実施形態において、装置は、誘導充電器によって充電される内部充電式バッテリを含む。後述される一次誘導回路は、基部の底面とプレート３１６（図２６）の上面との間に収容される。一次誘導回路は、底部プレート３１６の切欠き３２２を介してアクセス可能な固定コネクタ（図示せず）で終端される。外部コネクタ３２４は、固定コネクタと嵌合するように構成される。外部コネクタは、外部電源に接続されたケーブルに接続される。
【００３１】
[0081]図２６に示されているように、基部３０８は、一対の締結具３１８および３２０によって基部３０８の底部に取り付けられた底部プレート３１６を示すために、その側を傾けられている。図２７Ｂに示されるように底部プレート３１６と基部３０８の上面３１７（図２５Ｂ）の底側との間の空間は、充電回路の一次側を支持するために使用されてもよい。具体的には、バラストブロック４２１、スチールブロック４２８、磁気スイッチ４２７、およびプリント回路基板４２９を含む構成要素のいくつかが、基部３０８の受け台部分３１０に支持されている。ソケット４３１は、外部電源（図示せず）に接続するための内部コネクタ３２２（図２６）を受け入れるために基部３０８の底部からアクセス可能である。装置３００によって支持される磁石４０４は、装置３００が基部３０８の受け台部分３１０に受け入れられるときにスチールブロック４２８と整列されるように構成される。これにより、磁気スイッチ４２７は、装置３００が充電位置にあることを示すようにトリップされる。これにより、基部３０８のスタンド部分３１２（図２５Ｂ）の送信コイル４３４が外部電源に接続される。送信コイル４３４は、装置３００の把手部分３０４に形成された受信コイル４３５と整列されるように、受け台部分３１０のスタンド部分３１２に配置される。従って、装置３００が基部３０８に据えられ、かつ外部コネクタ３２４（図２６）が基部３０８のソケット４３１および外部電源に接続されているとき、送信コイル４３４に印加された電力は、装置３００によって支持される内部バッテリ４０３を充電するために、磁気誘導によって受信コイル４３５に結合される。
【００３２】
[0082]例示的な刃アセンブリ３３０が図２８に示される。刃アセンブリ３３０は、刃の周りに射出成形されてもよく、本体部分または刃ホルダ３６０が、皮膚剥離装置３００のレール３３４（図２４Ｂ）間を摺動できるように構成されていてもよい。例示的な刃アセンブリ３３０は、本体部分３６０、ノーズ部分３６２および安全ケージ部分３６４を含んでもよい。あるいは、安全ケージ部分３６４は、刃の一部として形成されてもよい。ノーズ部分３６２は、皮膚剥離装置３００の基礎部分３０６（図２４Ａ）の切欠き３６６に嵌合するように形成されている。安全ケージ部分３６４は、本体部分３６０の底部から外側に延びている。安全ケージ部分３６４は、全体が参照符号３６８で特定される、外向きに延びる複数の歯を備えて形成される。歯３６８は、刃アセンブリ３３０の実質的に全長に延びる。歯３６８は離間されている。刃３６４は、例えば、図１６ａに関連して示し述べたように、歯３６８の先端のわずかに下に配置される。換言すると、歯は、刃の縁部よりも外側に延びている。歯３６８の先端と刃の縁部との間の距離は、刃の侵入を確立する。典型的に、数ミリメートルの侵入が、非専門家の使用に適切である。
【００３３】
[0083]より詳細に後述するように、刃アセンブリ３３０の本体部分３６０は、後述される刃アセンブリ制御機構と協働して、制御ロジックの特定の態様に関するインターロックを提供するように形成される。特に、例示的な実施形態では、制御ロジックは、刃アセンブリ３６０の本体部分３６０の構成を利用して、以下の機能のうちの１つまたは複数を実行する。
・刃アセンブリ３３０が皮膚剥離装置３００に完全に挿入されているかどうかを決定する。
・刃アセンブリ３３０が装置３００から先に取り外されているかどうかを決定する。
・刃アセンブリ３３０を完全に挿入された位置に解放可能に「ロック」する。
【００３４】
[0084]これらの機能のそれぞれについて詳細に記載する。これらの機能のいくつかはインターロックとして形成されている。インターロックは、刃アセンブリ３３０と刃アセンブリ制御機構３０９（図２７Ａ、３６および３７）との間の相互作用の結果である。特に、刃アセンブリ３３０の本体部分３６０は、刃アセンブリ制御機構３０９内の１つまたは複数の機構と協働して、上述の機能の１つまたは複数を提供するように構成されてもよい。
【００３５】
[0085]刃アセンブリ制御機構３０９は、本体部分と、電気的インターロックを形成する１つまたは複数のバネ荷重弾丸ピン４１３、４１４に応答する１つまたは複数のマイクロスイッチ４０８、４０９とを含む。弾丸ピン４１３、４１４は下方に付勢されている。弾丸ピン４１３、４１４が上方に押されると、マイクロスイッチ４０８、４０９が作動される。刃アセンブリ制御機構３０９はまた、機械的インターロックを含んでもよい。例えば、刃アセンブリ制御機構３０９は、下方に付勢されたバネ荷重ナイフブレード４２２を含むことができる。バネ荷重ナイフ４２２は、刃アセンブリが取り外されるときに、延出タブ３５２を折り取るように構成される。刃アセンブリ３３０の再挿入時に、バネ荷重弾丸ピン４１４は上方に移動されず、マイクロスイッチ４０９は作動されない。刃アセンブリ制御機構３０９はまた、１つまたは複数の機械的インターロックを含むことができる。例えば、刃アセンブリ制御機構３０９はまた、刃アセンブリ３３０が装置３００から取り外されたときに解放されるロック機構を形成するために、刃アセンブリ３３０の下部棚表面３５４に形成された弧状ノッチ３２２と協働する下方に付勢されたバネ荷重弾丸ピン４１１を含んでもよい。
【００３６】
[0086]使用中に刃アセンブリ３３０を定位置にロックするための様々なタイプのロック機構が想定される。例示的なロック機構が、図２７Ａおよび２７Ｂに示されている。図２７Ａは、皮膚剥離装置３００のヘッド部分３０７の拡大部分断面図を示す。図２７Ｂは図２７Ａに類似しているが、より詳細に示されており、上述したように、基部３０８に据えられた皮膚剥離装置３００のヘッド部分３０７を示している。
【００３７】
[0087]最初に図２７Ａを参照すると、例示的なロック機構が示されており、バネ荷重弾丸ピン４１１は、刃アセンブリ制御機構３０９によって支持されている。弾丸ピン４１１は、刃アセンブリ３３０の本体部分３６０に形成された弧状ノッチ３３６と協働するように構成される。刃アセンブリ３３０が適所に摺動されるとき、バネ荷重弾丸ピン４１１は刃アセンブリ３３０の本体部分３６０の上面に沿って摺動する。刃アセンブリ３３０がその完全に挿入された位置に近づくとき、バネ力は、図２７Ａに示されるように、弾丸ピン４１１が刃アセンブリ３３０の端部に形成された弧状ノッチ３３６に据えられ、かくして刃アセンブリ３３０を適所でロックするまで、弾丸ピン４１１を下方に押す。
【００３８】
[0088]刃アセンブリ３３０を取り外すために、挿入力とは反対の横方向の力が刃アセンブリ３３０に加えられる。横方向の力は、弾丸ピン４１１の先端が弧状ノッチ３３６の湾曲表面に乗り上げるときに弾丸ピン４１１を後退させる。弾丸ピン４１１が弧状ノッチ３３６から解放されると、刃アセンブリ３３０は本質的にロック解除され、刃アセンブリ３３０は取り外すことができる。
【００３９】
[0089]また、刃アセンブリ３３０が皮膚剥離装置３００に完全に挿入されたことを示すために、皮膚剥離装置３００の制御ロジックに正の表示が提供されてもよい。特に、一対のマイクロスイッチ４０８および４０９が、刃アセンブリ３３０が皮膚剥離装置３００に完全に挿入されていることを示す正の表示を提供するように設けられてもよい。これらのマイクロスイッチ４０８および４０９は、それぞれバネ荷重弾丸ピン４１１および４１４によって作動される。特に、バネ荷重弾丸ピン４１１は、マイクロスイッチ４０８を作動させるように構成され、バネ荷重弾丸ピン４１４は、マイクロスイッチ４０９を作動させるように構成される。弾丸ピン４１１および４１４は、刃アセンブリ３３０が挿入または皮膚剥離装置３００から取り外されるとき、刃アセンブリ３３０の上面に沿って移動する。特に、刃アセンブリ３３０が挿入されるとき、弾丸ピン４１４は刃アセンブリ３３０の本体部分３６０の上部棚表面３５０（図２８）に沿って移動し、マイクロスイッチ４０８を最初に作動させる。弾丸ピン４１４が上部棚表面３５０を通過して下部棚表面３５４上に移動されるとき、バネ荷重弾丸ピン４１４は、バネ力によって下方へ押され、かくしてマイクロスイッチ４０８を停止する。刃アセンブリ３３０が連続的に挿入されるとき、弾丸ピン４１３は、刃アセンブリの上部棚表面３５４に形成されたタブ３５２によって上方に付勢され、これによりマイクロスイッチ４１４が作動され、マイクロスイッチ４１４は、刃アセンブリ３３０が皮膚剥離装置３００に完全に挿入されている間、作動されたままである。この時点で、両方の弾丸ピン４１３および４１４は上方に付勢され、それによって両方のマイクロスイッチ４０８および４０９を作動させる。後述されるように、皮膚剥離装置３００は、両方のマイクロスイッチ４０８および４０９が作動されるまで作動不能である。
【００４０】
[0090]また、皮膚剥離装置３００は、刃アセンブリ３３０が装置からいったん取り外されると、刃アセンブリ３３０を再使用することができないように構成することもできる。この機能のために、様々な機械的インターロックシステムが想定される。例示的なインターロックシステムを図２７Ａおよび２７Ｂに示す。例えば、バネ荷重ナイフブレード４２２が、刃アセンブリ制御機構３０９から下方に延在し、刃アセンブリ３３０が挿入されて皮膚剥離装置３００から取り外されるときに刃アセンブリ３３０の経路内に延在する。ナイフブレード４２２の前方表面３５３は、カム面で形成されている。従って、刃アセンブリ３３０が挿入されているとき、刃アセンブリ３３０の刃本体３６０の延出タブ３５２は、ナイフブレード４２２がナイフブレード３５１をばね力に抗して上方に押すことを引き起こす。刃アセンブリ３３０が完全に挿入された位置に向かって前進し続けるとき、ナイフブレード４２２は、バネの影響により図示のような標準位置に戻る。
【００４１】
[0091]刃アセンブリ３３０が装置から取り外されると、刃アセンブリ３３０のタブ３５２は、ナイフブレード３５１の平坦な表面３５５に当たる。刃アセンブリ３３０を取り外すために、タブ３５２を破壊し、刃アセンブリ３３０を取り外すことができるように十分な横方向の力を加えなければならない。タブ３５２が折り取られた後、刃アセンブリ３３０は引き続き取り外すことができる。表面３３７および３３９は、刃アセンブリ３３０を完全に取り外すことを可能にするようにナイフブレード３５１の下を摺動する。
【００４２】
[0092]いったん除去されると、タブ３５２は弾丸ピン４１４およびマイクロスイッチ４０９を作動させるための再挿入時に利用できなくなり、従ってその刃アセンブリ３３０の再使用を防止し、従って刃アセンブリ３３０が再挿入された場合、マイクロスイッチ４０９を作動しない。より詳細に後述するように、マイクロスイッチ４０８および４０９の両方が作動されない限り、皮膚剥離装置３００は作動しない。このようにして、タブ３５２は、刃アセンブリ３３０が再使用されるのを防止する。
【００４３】
[0093]あるいは、上部棚表面は、刃アセンブリが完全に挿入されているときにおよび完全に取り外されているときに、弾丸ピン４１１およびマイクロスイッチ４０９を作動させるために、刃アセンブリ３３０の長さに沿ってさらに延出し、延出された上部棚表面を画定することができる。この構成により、再使用可能な刃アセンブリが得られる。
【００４４】
[0094]以下に記載するように、装置３００と共に使用されるいずれの刃アセンブリも、２つのインターロックすなわち条件を満たさなければならない。第１のインターロックは、マイクロスイッチ４０８に関する。このマイクロスイッチ４０８は、刃アセンブリが装置３００に挿入されたことを示す。後述するように、第１のインターロックのみでは、装置３００を始動させるには不十分である。第２のインターロックは、マイクロスイッチ４０９に関連する。この第２のインターロックは、刃アセンブリが完全に挿入されたことを示す。装置３００を使用可能にするには、両方のインターロックが必要である。図２７ａを参照すると、第２のインターロックは、バネ荷重弾丸ピン４１３に応答する。バネ荷重弾丸ピン４１３は、タブ３５２が適所にある場合に限り、マイクロスイッチ４０９を作動させる。いったんタブ３５２が折り取られると、刃アセンブリ３３０を再使用しようとしても、弾丸ピンはマイクロスイッチ４０９を作動するために上方に移動することができない。
【００４５】
[0095]図２８に示す刃アセンブリ３３０の他の変形が考えられる。挿入されて皮膚剥離装置３００から取り外され、刃アセンブリ制御機構３０９との両方のインターロックを満たす、すなわちマイクロスイッチ４０８および４０９を作動させるように構成された本体部分３６０を含むいずれの刃アセンブリも、本発明の広範な範囲内にあると考えられる。
【００４６】
[0096]刃アセンブリ３３０の例示的な代替実施形態が、図４１および４２に示され、参照符号３３０’で特定されている。刃アセンブリ３３０’は、装置３００が動作することを可能にする刃アセンブリ制御機構３０９の様々なインターロックを依然として満たしながら、再使用されるのに適している。
【００４７】
[0097]図４１は、装置３００に完全に挿入された代替の刃アセンブリ３３０’の例示的な実施形態を示しており、図４２は、取り外されるプロセス中の代替の刃アセンブリ３３０’を示している。最初に図４１を参照すると、図２８に示す刃アセンブリ３３０のタブ３５２が傾斜部３５２’に置き換えられている。代替の刃アセンブリ３３０’のこの構成は、上述した両方のインターロックを満たす。刃アセンブリ３３０’が挿入されているとき、バネ荷重ナイフブレード３５１および弾丸ピン４１４が傾斜部３５２’に滑り上がる。刃アセンブリ３３０’が図４１に示すように完全に挿入された位置に達すると、弾丸ピン４１４は傾斜部３５２’の頂点に達する。これにより、弾丸ピン４１４が上方に移動し、マイクロスイッチ４０９を作動させて、刃アセンブリ３３０’が完全に挿入されたことを示し、従って上述した第２のインターロックを満たす。図４２に示すように、刃アセンブリ３３０’が取り外されるとき、バネ荷重ナイフブレード３５１が傾斜部３５２’に乗り上げ、刃アセンブリ３３０’が取り外されることを可能にする。上述したように、刃アセンブリ３３０’は、再挿入することができる。
【００４８】
[0098]代替の刃アセンブリ３３０’は、第１のインターロックも満たす。図４１および４２を参照すると、代替の刃アセンブリ３３０’はまた、刃アセンブリ３３０と同様、上部棚３５０’を有する本体部分３６０’を含む。このように、代替の刃アセンブリ３３０’が装置３００に挿入されるとき、弾丸ピン４１１は代替本体部分３６０’の上部棚３５０’と接触し、これが次にマイクロスイッチ４０８を作動させて、第１インターロックを満たす。
【００４９】
[0099]装置３００と共に使用可能にするために、いずれの代替の刃アセンブリも、上述した２つのインターロックを満たすことができなければならない。換言すると、いずれの代替の刃アセンブリも、挿入されたときにリミットスイッチ４０８および４０９を作動させることができなければならない。上述したように、刃アセンブリが装置から取り外された後に刃アセンブリを再使用できるようにする実施形態が想定される。ロック特徴部を含まない他の実施形態も想定される。これらの実施形態では、代替の本体部分３６０は、上述のような弧状ノッチ３３６なしで形成され、これらの実施形態では、バネ荷重弾丸ピン４１３は、ロック特徴部を提供する弧状表面以外の表面に単純に載るであろう。
【００５０】
[00100]図３６および３７は、刃アセンブリ制御機構３０９の簡略図を示す。図３６は、完全に挿入された刃アセンブリ３３０を示す。図３７は、刃アセンブリ制御機構３０９から取り外された刃アセンブリ３３０（図２８）を示している。刃アセンブリ制御機構３０９は、バネ荷重弾丸ピン４１１、４１３および４１４ならびにバネ荷重ナイフブレード３５１のうちの１つまたは複数を支持するように構成される。刃アセンブリ制御機構３０９は、マイクロスイッチ４０８および４０９を支持するように構成されてもよい。上述したように、マイクロスイッチ４０８は弾丸ピン４１３に応答し、マイクロスイッチ４０９は弾丸ピン４１４に応答する。マイクロスイッチ４０８および４０９ならびに図３２に示すバッテリ充電回路および制御回路は、刃アセンブリ制御機構３０９によって支持されたプリント回路基板（ＰＣＢ）４０５（図３６および図３７）によって相互に接続される。
【００５１】
[00101]例示的な電気回路図および例示的なソフトウェア論理フローチャートをそれぞれ図３２Ａおよび３３に示す。最初に図３２Ａを参照すると、バッテリ充電回路の例示的な実施形態が示されている。特に、バッテリ充電回路は、磁気誘導によって外部電力源に結合される。特に、一次巻線（図示せず）が基部３０８（図２６）内に配置されている。装置３００は、磁気誘導充電によって充電され、基部３０８の受け台部分の送信コイル４３４と協働する受信コイル４３５（図２７Ｂ）を装置３００内に含む。上述したように、送信コイル４３４（図２７Ｂ）および一次回路の残りは、基部３０８の受け台部分３１０によって支持される。装置３００が基部３０８の受け台部分３１０に完全に据えられると、基部３０８に位置する磁気スイッチ４２７は、装置３００の腹部に位置する磁石４０４を検出し、一次巻線４３４をソケット４３１に接続する。コネクタ３２４がソケット４３１および外部電源に接続されている場合、電圧が二次巻線４００（図３２）に誘導され、二次巻線４００は、内部バッテリ４０３を充電するためのバッテリ充電器回路に接続される。磁気誘導回路の一次側の構成要素は、基部３０８の受け台部分３１０に配置されたＰＣＢ４２９を介して相互に接続される。
【００５２】
[00102]一次巻線直径４３４および二次巻線４３５の直径（図２７Ｂ）の例示的な構成は、１６ｍｍ×３ｍｍであり、最大結合距離は５ｍｍである。二次巻線４３５は、４つのダイオードを含むブリッジ整流器４０２に接続されている。ブリッジ整流器４０２の出力は、バッテリ充電器Ｕ１、例えば、リチウムイオン定電流／定電圧バッテリ充電器、モデル番号ＴＰ０５４に接続された未調整ＤＣ電圧である。ペアコンデンサＣ１およびＣ２が、ブリッジ整流器４０２の出力に接続され、バッテリ充電器Ｕ１への電圧を安定化する。さらに、ツェナーダイオードＤ２も、ツェナー電圧を超える電圧からバッテリ充電器Ｕ１を保護するために、ブリッジ整流器４０２の出力にシャントレギュレータとして接続されている。一対の直列接続された抵抗器Ｒ１およびＲ３もまた、整流された４０２の出力に接続される。これらの抵抗器は分圧器を形成し、バッテリ充電器Ｕ１に印加される電圧を表す信号＜ＰＯＷ  ＩＮ＞を生成するために使用される。この信号＜ＰＯＷ  ＩＮ＞は、充電回路が外部電源に接続されていることをマイクロプロセッサ４０４に、例えば、Tenxモデル番号TM57/PA10A-SOP16に示すために使用される。
【００５３】
[00103]ブリッジ整流器４０２の正のレールは、バッテリ充電器Ｕ１の電圧端子ＶＤＤに接続されている。ブリッジ整流器４０２の負のレールは、バッテリ充電器Ｕ１の接地端子ＧＮＤに接続されている。バッテリ充電器Ｕ１上の充電ステータス端子ＣＨＲＧは、充電の状態を示すために使用される。この端子ＣＨＲＧは、マイクロプロセッサ４０４につなげられ、バッテリ充電中にローに引かれ、従ってマイクロプロセッサ４０４に充電サイクルの存在を示すために使用される。端子ＢＡＴは、充電のためにバッテリ４０３の正のレールに接続される。一対の分圧抵抗器Ｒ２およびＲ５がバッテリ４０３に接続され、信号＜ＰＯＷ  ＢＴ＞を生成する。この信号＜ＰＯＷ  ＢＴ＞は、マイクロプロセッサ４０４に供給される。バッテリ４０３は、充電回路の正および負のレール間に接続される。バッテリ４０３が２．９ボルトＤＣを下回るといつでも、バッテリ充電器Ｕ１は、バッテリ４０３が２．９ボルトＤＣに達するまで、トリクル充電をバッテリ４０３に適用する。その後、バッテリ充電器Ｕ１は定電流モードに入る。充電電流はプログラム可能であり、バッテリ充電器Ｕ１のＰＲＯＧ端子に接続された抵抗器Ｒ４によってプログラムされる。
【００５４】
[00104]電圧安定化コンデンサＣ３が、電圧レギュレータ４０６の入力に接続されている。また、正レールは、電圧レギュレータ４０６の入力端子Ｖｉｎに接続されている。電圧レギュレータ４０６は、バッテリの出力電圧を公称２．８ボルトＤＣに調節する。２．８ボルトＤＣ出力は、レギュレータ４０６の出力端子Ｖｏｕｔで利用可能である。電圧レギュレータ４０６上の接地端子ＧＮＤは、系統接地に接続される。一対のコンデンサＣ３およびＣ４が、電圧レギュレータ４０６の出力端子Ｖｏｕｔと系統接地との間に接続されている。これらのコンデンサＣ３およびＣ４は並列に接続され、レギュレータ４０６の出力端子Ｖｏｕｔの出力電圧を安定させるために使用される。
【００５５】
[00105]マイクロプロセッサ４０４は、皮膚剥離装置３００を制御する。マイクロプロセッサ４０４は、マイクロスイッチ４０８および４０９（図２７Ａ）からの入力、バッテリ充電器Ｕ１による充電の状態、バッテリ電圧、オン／オフスイッチが作動されているか否か、および皮膚剥離装置３００が充電受け台部分３０８によって充電されているか否かを受信する。特に、充電器Ｕ１からのＣＨＲＧ信号がマイクロプロセッサ４０４のポートＰＡ３に適用される。バッテリ充電器Ｕ１がバッテリ４０３を充電しているとき、ＣＨＲＧ信号はローである。信号ＣＨＲＧはまた、電流制限抵抗器Ｒ７を介してマイクロプロセッサ４０４のＶＤＤピンに適用される。バッテリ４０３が充電されていない状態の間、ピンＶＤＤは２．８ボルトＤＣによって引き上げられる。充電中、ピンＶＤＤはローに引き下げられ、バッテリ４０３が完全に充電されていないことを示す。信号＜ＰＯＷ  ＩＮ＞はトランジスタスイッチＱ２に適用される。＜ＰＯＷ  ＩＮ＞信号によって示されるように、入力電力が利用可能であるとき、電圧レギュレータ４０６および電流制限抵抗器Ｒ１１。刃アセンブリ３３０が皮膚剥離装置３００に挿入されるときにマイクロスイッチ４０９が係合されると、スイッチ４０８は閉じて、ポートＰＢ０をローに引く。マイクロスイッチ４０８はポートＰＡ０に接続されている。特にポートＰＡ０は、電圧レギュレータ４０６および電流制限抵抗器Ｒ６からの２．８ボルトＤＣ信号によって通常はハイに引かれる。刃アセンブリ３３０が皮膚剥離装置３００に挿入されるときにマイクロスイッチ４０９が係合されると、スイッチ４０６／４０７は閉じて、ポートＰＡ０をローに引く。オン／オフスイッチ４０６／４０７は、マイクロプロセッサ４０４のポートＰＢ２に接続されている。スイッチ４０６／４０７が押されると、ポートＰＢ２はローに引かれ、後述するように、モータ４１３がオンにされる。
【００５６】
[00106]制御ロジックに関連して後述するように、マイクロプロセッサ４０４は、振動発生器の一部を形成するモータ４１３を制御するために信号＜ＭＯＴ＞を出力する。マイクロプロセッサ４０４はＬＥＤ０も制御する。ＬＥＤ０は、電流制限抵抗器Ｒ８を介してレギュレータの出力電圧とポートＰＡ１との間に接続されている。マイクロプロセッサ４０４はまた、振動を安定化させるためにおよびバッテリレベルに関係なくそれを生成するために使用されるフィードバック信号＜ＡＤ  ＭＯＴ＞を発生させる。
【００５７】
[00107]例示的なモータ制御回路が示されている。図示されているように、モータ４１３は、４．２ボルトＤＣから電力を供給され、これはバッテリ４０３の正端子で利用可能である。モータ４１３は、スイッチング回路およびフィードバック回路を介して４．２ボルトＤＣと接地との間に接続される。モータ４１３は、スイッチ回路４１２および抵抗器Ｒ１２を介して、バッテリ４０３で利用可能な４．２ボルトＤＣと、接地との間に接続される。スイッチ回路４１２は、電流制限抵抗器Ｒ９を介して＜ＭＯＴ＞信号によって駆動されるスイッチングトランジスタＱ１を含む。信号＜ＭＯＴ＞がマイクロプロセッサ４０４によってアサートされると、トランジスタスイッチＱ１は、モータ４１３を抵抗器Ｒ１２を介して接地に接続させ、モータをオンにする。コンデンサＣ６は、モータへの電圧を安定化させる。モータ４１３がオフにされると、還流ダイオードＤ３が電流経路を提供する。ダイオードＤ４は、モータ電流がスイッチング回路４１２を迂回するのを阻止する。
【００５８】
[00108]フィードバック回路４１４は、モータ４１３の動作を安定化し、それをバッテリ４０３のレベルから本質的に切り離す。公称的には、バッテリ４０３は、４．２ボルトＤＣである。モータ４１３がオンにされると、フィードバック信号＜ＡＤ  ＭＯＴ＞がハイになり、抵抗器Ｒ１３を横切って約２．８ボルトＤＣを印加する。コンデンサＣ８はこの電圧を安定化させる。抵抗器Ｒ１０とＲ１３は分圧器を形成し、抵抗器Ｒ１２を横切って＜ＡＤ  ＭＯＴ＞信号から２．８ボルトの一部を提供する。Ｒ１０を横切る電圧は安定しており、抵抗器Ｒ１２に印加される。コンデンサＣ７は、抵抗器Ｒ１２に印加される電圧を安定させる。Ｒ１２を横切る一定の電圧は、バッテリ４０３のレベルに関係なく一定の電流がモータ４１３に流れるようにする。ＤＣモータの速度は電流に比例するため、一定の電流はモータを一定の速度で動作させる。
【００５９】
[00109]マイクロプロセッサ４０４（図３２）によって実行されるソフトウェアフローチャートが、図３３に示される。最初に、ステップ４２０においてオン／オフスイッチ４０６／４０７（図２７Ｂ）が押されると、バッテリ電力が、ステップ４２４に示すように、皮膚剥離装置３００に接続される。次にステップ４２４で、システムは、刃アセンブリ３３０が検出されたかどうかを調べる。より詳細には、システムは、マイクロスイッチ４０８および４０９（図２７Ａ）が作動された（これは刃アセンブリ３３０が完全に装置３００に挿入されたことを示す）かどうかを調べる。刃アセンブリが検出されなかった場合、システムはステップ４２２にループバックし、刃アセンブリ３３０の挿入を調べ続ける。刃アセンブリ３３０が装置３００に挿入されると、モータ４１３がステップ４２４で始動される。特に、マイクロプロセッサ４０４は、トランジスタＱ１のゲートに印加されトランジスタＱ１をオンにする＜ＭＯＴ＞を生成する。これにより、４．２ボルト供給電圧から直列にモータを通って抵抗器Ｒ１２を介して接地に至る回路が完成する。マイクロプロセッサ４０４はまた、モータ４０４の速度を安定させ、モータ４０４の速度をバッテリ４０３の電圧から切り離すために＜ＡＤ  ＭＯＴ＞信号を生成する。加えて、マイクロプロセッサ４０４は、ＬＥＤ０を点灯し、それを２つの長パルスと２つの短パルスで点滅させる。
【００６０】
[00110]システムは、ステップ４２６において、オン／オフスイッチ４０６／４０７（図２７Ａ）がオフにされたかどうかを調べる。オフにされた場合、システムはステップ４２０にループバックし、スイッチ４０６／４０７が再びオンになるのを待つ。スイッチ４０６／４０７がオフにされていない場合、システムは、刃アセンブリ３３０が少なくとも部分的に分離されているかどうかをステップ４２８で調べる。特に、マイクロスイッチ４０９（図２７Ａ）が非作動にされる地点まで刃アセンブリ３３０が部分的に取り外されているとき、マイクロプロセッサ４０４は、ステップ４３０においてＬＥＤ０を４ＫＨｚで点滅させる。刃アセンブリ３３０がステップ４３２に示されるように、第２のマイクロスイッチ４０８が非作動にされる地点まで取り外されているとき、ＬＥＤ０がステップ４３４において常にオンにされる。次にシステムはステップ４２２にループバックし、刃アセンブリ３３０が検出されるのを待つ。
【００６１】
[00111]ステップ４２６でオン／オフスイッチ４０６／４０７が押されたかどうかをシステムが調べた後、およびステップ４２８で刃アセンブリ３３０が装置３００に完全に挿入されているかどうかをシステムが調べた後、システムはステップ４３６において外部電源が充電器回路の一次巻線４３４に接続されているかどうかを調べ、電圧ＶＤＤは、パワーイン信号＜ＰＯＷ  ＩＮ＞によってマイクロプロセッサ４０４によって検出される。パワーイン信号＜ＰＯＷ  ＩＮ＞は、直列接続された抵抗器Ｒ１およびＲ３の接続点における信号である。ブリッジ整流器４０２の場合、直列に接続された抵抗器Ｒ１およびＲ３は、出力と並列である。従って、外部電源が一次巻線４３４（図２７Ａ）に接続されている場合は常に、電力が二次巻線４３５に誘導され、これにより抵抗器Ｒ１とＲ３を横切ってＡＣ電圧が生じる。この電圧は、ステップ４３６に示されるように、一次巻線４３４の電圧を二次巻線４００に結合させるために、外部電力が一次巻線４３４に印加されていることおよび一次巻線４３４が受け台３０８にあることを示す、信号＜ＰＯＷ  ＩＮ＞が正電圧を有することを引き起こす。二次巻線４３５上の電圧が検出されると、マイクロプロセッサ４０４は、ステップ４３８において、ＬＥＤ０を４つの長パルスで点滅させる。
【００６２】
[00112]システムはまた、バッテリ充電がいつ完了するかを決定する。これは、ステップ４４０に示されるように、バッテリ充電器Ｕ１のＣＨＲＧピンを監視することによって行われる。充電が完了すると、マイクロプロセッサ４０４は、ステップ４４２でＬＥＤ０を常にオンにして、ステップ４４４において外部電源が切断されてもよいことを示す。外部電源が取り外されると、信号＜ＰＯＷ  ＩＮ＞はローになり、システムはステップ４２２にループバックされる。
【００６３】
[00113]図３４は、振動発生器の例示的な詳細を提供する。特に、振動発生器４５０は、シャフト４５２とカウンタウェイト４５４とを有するモータ４５２を含む。カウンタウェイト４５４は、偏心して構成され、モータシャフト４５２と滑りなく回転するようにモータシャフト４５２に取り付けられる。モータシャフト４５２が回転すると、カウンタウェイト４５４は回転する。カウンタウェイト４５４は偏心的に、すなわち非対称的に、モータシャフト４５２に対して配置されているので、カウンタウェイト４５４の回転により、振動が刃アセンブリ３３０に伝達され、その結果刃アセンブリ３３０が振動される。
【００６４】
[00114]カウンタウェイト４５０は、長さが３ｍｍであってもよく、１．９ｍｍの半径を有してもよい。モータ４４０の速度は１０，０００ＲＰＭである。このように、モータが１．５ボルトＤＣおよび５０ｍＡの動作電流で通電されると、振動発生器４５０は低周波周波数を発生する。
【００６５】
[00115]図２７Ｂを参照すると、皮膚剥離装置３００は、上部ハウジング部分４０１および底部ハウジング部分４３０を含む。これらのハウジング部分４０１および４３０は、様々な従来の手段によって相互に固定されてもよい。例えば、ねじが使用され、ねじカバー４３２などのねじカバーで覆われてもよい。ハウジングの側面が図２４Ａおよび２４Ｂに示されている。ハウジングの上面が図２３に示されている。
【００６６】
[00116]例示的な刃保持具３７０が、図２９〜３１に示されている。刃保持具３７０は余分な刃アセンブリ３３０を支持するために使用される。図２９に示すように、例示的な刃保持具３７０は、示されるように、６つの刃アセンブリ３３０を支持するための例示的な６つの溝穴３７２を含む。刃アセンブリ３３０および３３０’’は、ユーザが刃アセンブリ３３０’’に触れることなく刃アセンブリ３３０’’を皮膚剥離装置３００に直接装填できるように刃保持具３７０内で配向される。図３１〜３３に示されるように、刃保持具３７０は、例示的な楕円形に形成され、溝穴３７２は楕円形の主軸に垂直に形成されている。
【００６７】
[00117]図３８〜４０を参照すると、図２９〜３１に示される刃保持具３７０の代替の実施形態は、図３９に最もよく示されているように、代替の刃アセンブリ３３０’’を支持するための複数の溝穴３７２を含む。図３９に最もよく示されているように、各刃アセンブリ３３０’’は、刃アセンブリ３３０の両側の溝穴３３２（図２８）に隣接する１つまたは複数のノッチ３３３、３３５（図３９）を含む。これらのノッチ３３３、３３５（図３９）は、刃アセンブリ３３０’’（図２８）の両側を保持する刃保持具３７０の溝穴３７２の両側でノッチ３３３（図３９）に受け入れられるように構成された延在する水平脚部３３９（図３８）を有する刃保持具３７０’の溝穴３７２（図２９）に隣接する１つまたは複数の「Ｌ」字形のアーム３３７（図４０）と協働する。
【００６８】
[00118]「Ｌ」字形のアーム３３９（図３８および４０）は、刃アセンブリ３３０’’（図２８）の側面の溝穴３３２の下にある。この構成は、図３８および３９に概ね示されるように、装置３００のレール３３４（図３８）を刃アセンブリ３３０’’の溝穴３３２に受け入れることを可能にする。
【００６９】
[00119]図３８は、装置３００に装填される直前の刃アセンブリ３３０’’を示す。刃アセンブリ３３０’’を装置３００に装填するために、装置３００のレール３３４は、刃アセンブリ３３０’’の溝穴３７０と整列される。次に、装置３００は、刃保持具３７０’に向かって挿入されて、レール３３４が刃保持具３７０’の溝穴３７０に受け入れられるようにする。いったん装置３００のレール３３４が溝穴３７０内に受け入れられると、図３９に示すように、装置３００は刃アセンブリ３３０’’のノーズ部分３６２に向かって移動される。刃アセンブリ３３０’が完全に装填されると、装置３００は、刃保持具３７０’から取り外される。「Ｌ」字形の脚部３３７は可撓性であり、刃アセンブリ３３０’’がわずかな上向きの力で刃保持具３７０’から取り外されることを可能にする。
【００７０】
[00120]装置３００の対称性は、装置３００を人の顔の左右両側を容易に処理するのに適したものにする。把手部分３０４（図２１）は、水平に対して４０°〜６０°、好ましくは５０°の角度をなしている。加えて、装置３００は、下向きの動きで人の顔の両側を処理するように輪郭が形成される。人の顔の右側を処理するために、装置３００は、人の右手で保持されてもよい。同様に、人の顔の左側を処理するために、装置は、人の左手で保持されてもよい。
【００７１】
実施形態１〜３
外側ハウジング
[00121]上で述べたように、図１は、例えば図２〜６および図１２〜１５に示す、圧電結晶、および回路、および／またはモータ、およびモータの速度を制御するための任意選択の加減抵抗器を含む様々な実施形態で使用することができる全体が参照符号２０によって特定された例示的な外側ハウジングを示す。外側ハウジング２０は、各端部で閉塞され例えば射出成形プラスチックまたは他の材料によって２つの部分で形成された円筒中空部材として形成してもよい。詳細には、外側ハウジング２０は、把手部分を形成する端部キャップ２１と、カバー部分を形成する上端キャップ２４とを含む。カバー部分２４は、後述されるメインハウジング２６に分割線２７で結合するように構成してもよい。把手部分２１は、分割線３０でメインハウジング２６に結合する。この例示的実施形態では、装置への電力を制御するための、全体が参照符号２９によって特定されるオンオフスイッチおよび任意選択の一体化ＬＥＤ（発光ダイオード）が、メインハウジング２６によって支えられ、把手部分２１とカバー部分２４との間で露出してもよい。より詳細に後述されるように、メインハウジング２６によって支えられる任意選択のサムホイール制御スイッチ３１が、モータ３４の速度を制御するために使用されてもよい。
【００７２】
[00122]図７は、全体が参照符号２３によって特定された代替の外側ハウジングを示す。外側ハウジング２３は、加減抵抗器および任意選択のサムホイールを含まない実施形態で使用される。
【００７３】
[00123]本明細書で使用される場合、ハウジングという用語は、外側ハウジング２０（図１）および２３（図７）に個々に言及するだけでなく、メインハウジング２８（図２）と組み合わせた外側ハウジング２０、２３の組み合わせに個々におよび選択的に言及する。
【００７４】
[00124]刃アセンブリの様々な実施形態が想定される。例えば、図１３ａ〜１３ｆは、メスと取外し可能な刃とを含む２ピース刃アセンブリを備えた実施形態を示す。この実施形態では、メスは、メインハウジングに固定式に取り付けられてもよく、または、バヨネットマウントまたは他の従来型結合手段を用いてメインハウジングに結合されてもよい。
【００７５】
第１実施形態
[00125]最初に図２〜６を参照すると、本発明の第１実施形態が、示され記載され参照符号８５によって特定されている。本発明の第１実施形態は、メインハウジング２８、圧電結晶３２、直流モータ３４、シャフト３８に結合された偏心回転負荷３６、およびバッテリ２２などの電力供給部を含む。装置用電力供給部は、交流電流の電力供給部であることができることがさらに想定される。そのような交流電流の電力供給部は、当技術分野でよく知られている。
【００７６】
[00126]メインハウジング２８は、正のバッテリ接点４２および負のバッテリ接点４４を定める全体が参照符号４０によって特定されたバッテリホルダ部分を形成する導電性材料から作製されてもよい。より詳細に後述されるように、様々な装置間の配線の一部分は、フレキシブルプリント回路基板から形成されてもよいプリント回路基板４５によって達成可能である。あるいは、プリント回路基板４５は省略してもよく、様々な装置間の接続は、電気配線によって形成することができる。
【００７７】
[00127]メインハウジング２８の一端４６は、いくつかの機能を達成する直径が小さくなった円筒部分４８によって形成されてもよい。第１に、図３に最も良く示されるように、直径が小さくなった円筒部分４８の内側部分は、圧電結晶３２のための摩擦はめ合いを提供するように構成されている。第２に、図１７に最も良く示されるように、直径が小さくなった円筒部分４８の外側部分は、直径が小さくなった部分４８の外側部分のバヨネットインターフェースと協働するバヨネットインターフェースを装着された例示的な取り替え可能な刃５０のためのバヨネットインターフェースを提供する。本発明の重要な態様によれば、安全ケージ６６（図１６ａ）が、刃５０の顔面皮膚への侵入を制限するために、刃５０を覆うように取り付けられる。
【００７８】
[00128]図３に戻ると、皮膚剥離装置８５の第１実施形態の断面図が示されている。図３は、メインハウジング２６を詳細に示し、様々な構成要素の全てがそれにどのように嵌め込まれるかを示す。示されるように、様々な構成要素は、例えばはんだ付けによってプリント回路基板４５に配線および接続されてもよい。
【００７９】
[00129]上で述べたように、この実施形態は、超音波動作モードを定める超音波周波数で刃４６を振動させるための圧電結晶を含む。装置は、低周波周波数モードを定める超音波の振動周波数以外の振動周波数を発生させるための、全体が参照符号５１によって特定された少なくとも１つの偏心回転負荷を有する直流モータを含んでもよい。偏心部は、半円ディスク５１として形成されてもよい。固定ベアリング５３が、モータシャフト３２を安定化するために、ディスク５１から軸線方向外側に配置されてもよい。モータシャフトの回転速度に依存して、刃アセンブリ５０に伝送される振動が生成される。
【００８０】
[00130]超音波／振動を発生させるために圧電結晶を駆動する駆動回路は、当技術分野でよく知られている。そのような回路は、通常、圧電結晶に印加される交流電流または電圧を含む。そのような駆動回路の例は、米国特許第３，５０９，６２６号、米国特許第３，９６７，１４３号、および米国特許出願公開第２００３／０２３３０８５  Ａ１号に開示されている。そのような駆動回路は、参照によって全てが本明細書に取り込まれる韓国特許公開ＫＲ第２００４  ００２２５５０号にも開示されている。圧電装置に対する全ての言及は、圧電装置に超音波／振動を発生させる駆動回路を含むように理解される。それぞれの構成要素を含む駆動回路は、プリント回路基板４５に配置されてもよい。
【００８１】
[00131]図４〜６は、圧電要素３２および少なくとも１つの偏心回転負荷５１を有する直流モータ３４を含む装置５０を制御するための電気の詳細を示す。制御の重要な態様は、図４ａ〜４ｄに示されるような任意選択の例示的な４つの位置の回転スイッチ３１である。その４つの位置のスイッチは、一般に入手可能であり、４つの電線を含む。標準的には、開かれた回転接点は、圧電結晶３２への電力を制御するために端子３および４の間、および直流モータ３４への電力を制御するために端子１および２の間に設けられている。端子２および３は、バッテリ２２の正極に一緒に接続されている。
【００８２】
[00132]図４ａに示された回転スイッチ３１の第１位置において、圧電結晶３２への電力を制御するための端子３および４の間の接点は、直流モータ３４への電力を制御するための端子１および２の間の接点が開かれるのと同様に開かれる。従って図４ａに示された位置において、電力は圧電結晶３２にもモータ３４にも供給されない。図４ｂに示される回転スイッチ３１の第２位置において、端子３および４の間の接点は閉じられ、従って圧電結晶３２に電力を供給する、すなわちプラスのバッテリ端子を接続する。端子１および２の間の接点は開かれるので、スイッチ３１が図４ｂに示された位置にあるとき、電力はモータ３４に供給されない。図４ｃは、端子３および４の間の接点および端子１および２の間の接点の両方が開かれ、従って圧電結晶３２およびモータ３４の両方から電力を切り離す別のオフ位置を示す。図４ｄは、端子１および２の間の接点が閉じられる、従ってモータ３４に電力を供給するスイッチ３１の位置を示す。端子３および４の間の接点はこの位置で開かれるので、電力はこの位置では圧電結晶３２に供給されない。
【００８３】
[00133]皮膚剥離装置８５の例示的な回路図が図５に示されている。示されるように、回路は、バッテリ２２によって電力を供給される。上述したように、回転スイッチ３１により、バッテリ２２を、超音波モードまたは低周波周波数モードをそれぞれ定める圧電結晶３２にまたはモータ３４に選択的に接続することが可能になる。装置５０のモードを表示するために任意選択のＬＥＤ５４および５６を設けてもよい。詳細には、ＬＥＤ５４は、圧電結晶３２と並列に接続される。従って、圧電結晶３２がバッテリ２２の正極に接続されているときは常に、ＬＥＤ５４は点灯して、装置５０が超音波動作モードで動作していることを示す。同様に、任意選択のＬＥＤ５６は、実質的にモータ３４と並列に接続される。従って、モータ３４がバッテリ２２の正極に接続されているときは常に、ＬＥＤ５６は点灯し、低周波動作モードを示す。圧電結晶３２もモータ３４もバッテリ２２の正極に接続されていない場合、ＬＥＤ５４および５６は両方とも消灯する。
【００８４】
[00134]任意選択の加減抵抗器５８が、モータ３４と直列に接続されてもよい。当技術分野で知られているように、直流モータの速度はモータに印加される電圧により制御されることができる。任意選択の加減抵抗器５８は調整可能であり、その抵抗を変えるように制御可能であり、抵抗を変えることによりモータ３４への電流および電圧が変えられる。モータ３４の速度を変えることによって、振動周波数を変えることができる。図１に示されるように、任意選択のサムホイール３１は、加減抵抗器５８を調整できるようにハウジング２０の外側からアクセス可能である。モータ３４は、例えば、毎分６００回転で作動されてもよい。
【００８５】
[00135]図６は、様々な構成要素を回路に接続するために使用することができる、任意選択であり例示的なプリント回路基板４５である。プリント回路基板４５の構造は、示されたものと異なっていてもよいことが想定される。また、様々な従来技術が、様々な構成要素をプリント回路基板４５に接続するために想定される。１つのそのような技術は、はんだ付けである。あるいは、プリント回路基板４５は省略することができ、様々な構成要素間の接続は電線によって形成することができる。任意選択のＬＥＤ５４および５６ならびに任意選択の加減抵抗器５８と同様に回転スイッチ３１をプリント回路基板４５に取り付けることができることも想定される。
【００８６】
第２実施形態
[00136]第２実施形態が図８〜１１に示され、参照符号１８５によって特定されている。この実施形態では、同様の構成要素は、先頭に１を付した同様の参照符号によって特定されている。この実施形態では、皮膚剥離装置１８５は、圧電結晶１３２のみを含む。図１０に示されるように、単純な単極単投のマイクロスイッチ１２９が、圧電振動装置１３２を制御するために使用されてもよい。任意選択のＬＥＤ１５４が、マイクロスイッチ１２９の一部分として含まれてもよい。プリント回路基板１４５が、様々な装置間に接続を形成するために設けられてもよい。さらに、マイクロスイッチ１２９は、プリント回路基板１４５に取り付けられてもよい。
【００８７】
第３実施形態
[00137]第３実施形態が図１２〜１５に示され、参照符号２８５によって特定されている。この実施形態では、同様の構成要素は、先頭に２を付した同様の参照符号によって特定されている。この実施形態では、皮膚剥離装置２８５は、モータ２３４およびベアリング２５３によって支持された偏心回転負荷２４９のみを含む。図１４に示されるように、単純な単極単投のマイクロスイッチ２２９が、モータ２３４への電力を制御するために使用されてもよい。任意選択のＬＥＤ２５６が、マイクロスイッチ２２９の一部分として含まれてもよい。さらに、任意選択の加減抵抗器２５８が、モータ２３４の速度を制御するために設けられてもよい。図１３に最も良く示されるように、加減抵抗器２５８は、サムホイール２３１を含む。サムホイール２３１は、装置２５０の外側からモータの速度を調整できるように、図１に示されるように任意選択的に取り付けられてもよい。プリント回路基板２４５が、様々な装置間に接続を形成するために設けられてもよい。さらに、マイクロスイッチ２２９が、プリント回路基板２４５に取り付けられてもよい。
【００８８】
[00138]図１２の実施形態の代替の実施形態が図１３ａに示されている。この実施形態では、最後尾に「ａ」を付した同様の参照符号が、同様の部分を特定するために使用されている。この実施形態では、加減抵抗器は設けられていない。また、図１２〜１５に示された実施形態と同様にこの実施形態においても、プリント回路基板は排除してもよい。他の実施形態と同様にこの実施形態においても、刃またはメス２５０ａは、ハウジング２２８ａに取り付けられたまたは固定して取り付けられたバヨネットであることができる。
【００８９】
[00139]そのような実施形態の全てにおいて、メスまたは刃２５０ａは、上に示し記載したように、１ピースの刃であることができ、およびバヨネットマウントとともに構成することができる。あるいは、刃２５０ａは、２ピースの装置として、すなわち図１３ａに示されるような取り外し可能な刃２４９ａを有するメス２５０ａとして形成することができる。そのような実施形態では、メス２５０ａは、ハウジング２２８ａに固定して取り付けられてもよい。取り外し可能な刃を有するメスの他の構造も、特許請求の範囲の広範な範囲内にあると考えられる。
【００９０】
[00140]取り外し可能な刃を備えたメスは、当技術分野で極めてよく知られている。取り外し可能な刃を備えたメスの例が、参照によって本明細書に組み込まれる米国特許第１，１３９，７９６号に詳細に示され記載されている。取り外し可能な刃２４９ａを備えた実施形態では、上述したように、安全ケージ２６６ａが刃２４９ａの上に形成されてもよい。図１３ａに示される装置はまた、安全カバーを含んでもよい、例えばメス２５０ａおよび取り外し可能な刃２４９ａにフィットする図１２に示されるような安全カバー２５２と同様の安全カバー（図示せず）を含んでもよい。
【００９１】
[00141]図１３ａは、取り外し可能な刃２４９ａが取り付けられたメス２５０ａを示す。図１３ｂ〜１３ｄは、取り外し可能な刃２４９ａがどのようにメス２５０ａに取り付けられるかを示す。メス２５０ａは、複数の柱、例えば参照符号２５３ａ、２５５ａおよび２５７ａによって特定される３つの柱を備えて形成される。これらの柱２５３ａ、２５５ａおよび２５７ａはメス上に形成され、示されるように、一方の側でメスから外向きに延びている。これらの柱２５３ａ、２５５ａおよび２５７ａは、取り外し可能な刃２５３ａに形成された溝穴２５９ａ、２６１ａおよび２６３ａと協働するように形成される。図１３ｂに最も良く示されるように、溝穴２５９ａおよび２６１ａは、開かれた溝穴であり、メス２５０ａ上の延びる柱２５５ａおよび２５７ａを受け入れるように構成される。開口部２６３ａは、メス２５０ａ上に形成された柱２５３ａを受け入れるために刃２５０ａに形成される。図１３ｅおよび１３ｆから明らかであるように、柱２５３ａは、柱２５５ａおよび２５７ａよりも短い。この特徴により、柱２５３ａは、適所でパチンと嵌り、開口部２６３ａに受け入れられ、メス２５０ａに対して刃２４９ａを適所で実質的に固定することが可能になる。
【００９２】
[00142]図１２の実施形態の別の代替実施形態が、図１３ｇに示されている。この実施形態では、最後尾に「ｂ」を付した同様の参照符号が、同様の部分を特定するために使用されている。この実施形態は、この実施形態に示されるものを除いて図１３ａに示された実施形態と同様であり、装置２８５には、上述したように、バヨネットマウントによって装置に結合する１ピースの刃２５２ｂが設けられている。この実施形態では、刃カバー２７０ｂが設けられている。刃カバー２７０ｂは、Ｃ字形断面を設けられてもよく、カバー２７０ｂが刃２５２ｂの上で摺動すると、全体が参照符号２７２ｂによって特定されるボタンに刃２５２ｂを挟ませるばね力を備えて形成されてもよい。
【００９３】
刃
[00143]本発明の重要な態様は、刃アセンブリ５０、１５０、２５０に関する。刃アセンブリ５０、１５０、２５０は、図１６〜１８に最も良く示されている。図１８に最も良く示されるように、刃アセンブリ５０、１５０、２５０は、概ね円筒状の部分６０に取り付けられ、把手部分２１（図１）に取り付けられた円筒部分４８（図２）と嵌合するように構成されている。刃アセンブリ５０、１５０、２５０は、１人のユーザにのみ使用される。従って、刃６２のアセンブリ５０、１５０、２５０は、廃棄のために取り外し可能であり、新規ユーザごとにおよび使用ごとに取り替えられる。
【００９４】
[00144]図１６および１８に示されるように、刃アセンブリ５０、１５０、２５０の円筒部分６０は、例えばバヨネット接続によって、把手部分２１に取り付けられた円筒部分４８に結合するように構成されている。他の接続も適している。
【００９５】
[00145]本発明の重要な態様によれば、刃アセンブリ５０、１５０、２５０は、手術用の刃またはメス６２、および図１７に最も良く示されるくさび形の断面部分を有する成形ハウジング６４を含む。刃６２は、装置ハウジング２０（図１）、２３（図７）の長手方向軸に概ね平行に、またはそれに対して鋭角に軸に沿って延びる。皮膚への切り込みの深さを制限するために、および、非専門家が顔面皮膚の表皮層より下に誤って切り込むことを防止するために、安全ケージ６６が、刃６２の延在部分を覆うように近接して配置されている。より詳細には、安全ケージ６６は、刃６２の刃先６７を覆うように延び、刃ハウジング６４から延びている。図１６ａに最も良く示されるように、安全ケージ６６は、柱６８および谷部７０を画定する例示的なくし状構造として形成される。くし状構造６６は、刃６２の刃先６７を覆うように射出成形されてもよい。あるいは、くし状構造６６は、刃６２の刃先６７を覆うように適所でパチンと嵌められてもよい。谷部７０の深さは、谷部７０の深さを例えば数ミリメートルに制限することによって、切り込みの深さを制限する。従って、刃アセンブリ５０、１５０、２５０は、皮膚剥離装置の一部分として、非専門家による使用に対して安全な状態にされている。
【００９６】
[00146]上で述べたように、２ピースの刃またはメスが使用されてもよい。そのような実施形態では、安全ケージは、取り外し可能な刃の刃先部分を覆うように設けられる。
【００９７】
プロセス
[00147]顔面皮膚を処理するためのプロセスが非専門家に対して記載される。皮膚剥離を含む、非専門家による顔面皮膚を処理するための例示的なプロセスが後述される。
【００９８】
[00148]１．洗浄する：このステップは、皮膚剥離手順のために皮膚を準備する。皮膚から表面油を除去しながら、化粧および製品残留物を効率的に除去する。温水で顔を濡らし、濡れた手のひらに少量の洗浄剤をとり、両手で泡立てて、顔をマッサージする。温水で洗い落とし、繰り返す。皮膚を拭いて乾かす。
【００９９】
[00149]２．皮膚剥離する：例えば、上で開示されたような刃および埋め込まれた振動技術を含み、安全に皮膚の角質を除去する、非専門家による使用に対して安全な手持ち式皮膚剥離装置を使用する。本明細書に記載されたもの以外の刃および埋め込まれた振動技術を有する皮膚剥離装置も適している。振動技術は、微小循環およびリンパ液の活性を刺激しながら刃の効果を最大にする。皮膚は徹底的に角質が除去されるだけでなく、蓄積されたごみおよび軟毛の全てが除去される。皮膚は乳児のような柔らかさにされ、製品の浸透は最大化される。
【０１００】
[00150]装置を握り、装置のスイッチを入れることによって開始する。直ちに微妙な振動に気付くだろう。
【０１０１】
[00151]図１９および２０に示されるように、右側に焦点を当てながら顔の中心で処理を開始し、穏やかであるがしっかりした圧力を使用して、前額部を横切り髪の生え際に向かって、顔の輪郭に従って、眉および目の領域を避けつつ、装置を移動させる。
【０１０２】
[00152]顔の上側が終わると、顔の下側へ移動し、中心線で再度開始し、同様に穏やかであるがしっかりした圧力を使用して、下顎の輪郭に沿って耳に向かって上方に装置を移動させる。頬まで作業を継続し、鼻から耳に向かって頬の輪郭に従って移動させる。鼻および目の領域は回避すべきである。口の周りを処理するとき、穏やかであるがしっかりした圧力で短いストロークを使用し、紅唇（唇の縁）に向かって移動させ、唇の表面を回避する。
【０１０３】
[00153]皮膚剥離装置は、皮膚の角質を除去するのに極めて効果的であり、どの領域でも２度通過させるだけでよい。顔の右側を終えると、左側に移り、同じパターンに従う。
【０１０４】
[00154]３．ピーリングを行う：化学薬品によるピーリング（chemical peel）が、角質除去プロセスを完了させる。様々な化学薬品によるピーリングが適している。例えば、抗酸化剤化合物、例えばバイオパーフェクトの抗酸化剤錯体（Bioperfect’s Anti-Oxidant Complex）と組み合わせたアルファおよびベータヒドロキシ酸のブレンドを含む化学薬品によるピーリングが、角質除去プロセスを完了させ、コラーゲンの生成に刺激を与えることを手助けするために細胞の代謝回転を増幅する。このピーリングは、皮膚剥離装置を使用した直後に使用される。
【０１０５】
[00155]準備されたピーリングパッドを開ける。前額部で始め、前額部で始めて円運動を用いながら顔全体および首にピーリングを施す。繊細な目および唇領域との接触は回避する。
【０１０６】
[00156]４．処理後の安らぎを与えるバルム（Post Treatment Comforting Balm）−繊細な処理後の皮膚に安らぎを与え、栄養分を与え、保護するために特別に配合されたバルム（balm）を使用する。バルムは新たに角質が除去された皮膚に深く吸収され、その結果、我々の知的所有権下にある多次元薬用化粧品合成物の最適な吸収がもたらされる。
【０１０７】
[00157]少量を使用し、目領域を回避して顔および首にマッサージする。
【０１０８】
[00158]上述の教示に照らして、本発明の多くの修正および変形形態が可能であることは明らかである。従って、本発明は、添付の特許請求の範囲内で、上で詳細に記載したもの以外の別の方法で実施してもよいことが理解される。
【図１】
2019505276.tif 000003
【図２】
2019505276.tif 000004
【図３】
2019505276.tif 000005
【図４ａ】
2019505276.tif 000006
【図４ｂ】
2019505276.tif 000007
【図４ｃ】
2019505276.tif 000008
【図４ｄ】
2019505276.tif 000009
【図５】
2019505276.tif 000010
【図６】
2019505276.tif 000011
【図７】
2019505276.tif 000012
【図８】
2019505276.tif 000013
【図９】
2019505276.tif 000014
【図１０】
2019505276.tif 000015
【図１１】
2019505276.tif 000016
【図１２】
2019505276.tif 000017
【図１３】
2019505276.tif 000018
【図１３Ａ】
2019505276.tif 000019
【図１３Ｂ】
2019505276.tif 000020
【図１３Ｃ】
2019505276.tif 000021
【図１３Ｄ】
2019505276.tif 000022
【図１３Ｅ】
2019505276.tif 000023
【図１３Ｆ】
2019505276.tif 000024
【図１３Ｇ】
2019505276.tif 000025
【図１４】
2019505276.tif 000026
【図１５】
2019505276.tif 000027
【図１６】
2019505276.tif 000028
【図１６ａ】
2019505276.tif 000029
【図１７】
2019505276.tif 000030
【図１８】
2019505276.tif 000031
【図１９】
2019505276.tif 000032
【図２０】
2019505276.tif 000033
【図２１】
2019505276.tif 000034
【図２２】
2019505276.tif 000035
【図２３】
2019505276.tif 000036
【図２４ａ】
2019505276.tif 000037
【図２４ｂ】
2019505276.tif 000038
【図２５ａ】
2019505276.tif 000039
【図２５ｂ】
2019505276.tif 000040
【図２６】
2019505276.tif 000041
【図２７ａ】
2019505276.tif 000042
【図２７ｂ】
2019505276.tif 000043
【図２８】
2019505276.tif 000044
【図２９】
2019505276.tif 000045
【図３０】
2019505276.tif 000046
【図３１】
2019505276.tif 000047
【図３２】
2019505276.tif 000048
【図３３】
2019505276.tif 000049
【図３４】
2019505276.tif 000050
【図３５】
2019505276.tif 000051
【図３６】
2019505276.tif 000052
【図３７】
2019505276.tif 000053
【図３８】
2019505276.tif 000054
【図３９】
2019505276.tif 000055
【図４０】
2019505276.tif 000056
【図４１】
2019505276.tif 000057
【図４２】
2019505276.tif 000058
【国際調査報告】
2019505276.tif 000059
2019505276.tif 000060
2019505276.tif 000061